(57)【特許請求の範囲】
【請求項１】
一側上部に挿通窓（１０）を、他側上部に操作窓（１１）を備えた扁平函型の外ケース（Ａ）内に、前面を開放した粒状物の収容部（３０）及び収容部（３０）に連続する前面を開放した取出部（３１）を備え、且つ、操作窓（１１）より押し込み可能に突出する押圧操作部（３２）を備えた扁平函型をなす内ケース（Ｂ）を、揺動が可能に嵌合し、操作窓（１１）の下縁より起立した板バネ（２５）を押圧操作部（３２）に嵌着固定し、板バネ（２５）の付勢力に抗する押圧操作部（３２）の押し込みにより内ケース（Ｂ）を外ケース（Ａ）に対して揺動させた際に、取出部（３１）が挿通窓（１０）より外方へ突出する粒状物用ケースにおいて、
押圧操作部（３２）は、前面及び後面のいずれか一方を開放し、且つ、下面を開放した板バネの嵌合溝（３８）を備え、該嵌合溝（３８）に板バネ（２５）を嵌合したことを特徴とする粒状物用ケース。
【請求項２】
外ケース（Ａ）の外部頂壁（１４）を曲率半径の大きい上方に凸の円弧板状をなす正面視形状に湾曲形成するとともに、内ケース（Ｂ）の内部頂壁（３４）を外部頂壁（１４）を摺動する曲率半径の大きい上方に凸の円弧板状をなす正面視形状に湾曲形成し、外ケース（Ａ）の外部底壁（１７）を下方に凸の円弧板状をなす正面視形状に湾曲形成するとともに、内ケース（Ｂ）の内部底壁（３７）を外ケース（Ａ）の外部底壁（１７）を摺動する下方に凸の円弧板状をなす正面視形状に湾曲形成し、外ケース（Ａ）に対する内ケース（Ｂ）の相対的な揺動が可能に構成した請求項１記載の粒状物用ケース。
【請求項３】
内ケース（Ｂ）の内部後壁（３３）の後面下部と外ケース（Ａ）の外部後壁（１３）の前面下部とに枢着部を設けて、内ケース（Ｂ）と外ケース（Ａ）との相対的な揺動を可能とした請求項１又は請求項２に記載の粒状物用ケース。
【請求項４】
外ケース（Ａ）を、ヒンジ（１９）を介して開閉可能に連結した外部前壁（１２）又は外部後壁（１３）の開放状態でその他の部分と一体に成形し、外部前壁（１２）又は外部後壁（１３）を閉じた状態でその周縁部を嵌着固定可能に構成した請求項１乃至請求項３のいずれか１項に記載の粒状物用ケース。
【発明の詳細な説明】
【技術分野】
【０００１】
本発明は粒状物用ケースに関する。
【背景技術】
【０００２】
内部に粒状物を収容し、簡単な操作で収容物を振り出せる如く構成した粒状物用ケースが種々提案されている。（例えば、特許文献１を参照）
【０００３】
上記特許文献１に記載されたものは、上下両面閉塞でかつ角部を有しない筒状に形成した粒状物収納ケースの筒部外周面に、単数乃至複数の第１振り出し孔を有する浅溝を周設するとともに、該浅溝内へ第２振出孔付きの環状ベルトを、該ベルトが第１振出孔を閉塞する第１状態と、第１振出孔と第２振出孔とが連通する第２状態との間をスライド可能に巻装し、かつ、スライド操作用の指当て部を環状ベルト外面に付設したことを特徴としている。
【先行技術文献】
【特許文献】
【０００４】
【特許文献１】特開２００１−３１５８６５号公報
【発明の概要】
【発明が解決しようとする課題】
【０００５】
上記従来のケースでは環状ベルトを装着させるためにケースの構造が複雑になる傾向があった。また、上記従来のケースではケース開放に当たり、ケースの筒部外周面に沿って環状ベルトを、ケースの第１振出孔とベルトの第２振出孔とが連通する状態にスライドさせることで行っている。
【０００６】
本発明はきわめて簡単な構造でしかも片手での簡単な操作での使用が可能であり、また、内外ケースを相対的に揺動させるという斬新な開閉操作により取出部の開閉が可能な粒状物用ケースを提案する。
【課題を解決するための手段】
【０００７】
第１の手段として、以下の通り構成した。即ち、一側上部に挿通窓１０を、他側上部に操作窓１１を備えた扁平函型の外ケースＡ内に、前面を開放した粒状物の収容部３０及び収容部３０に連続する前面を開放した取出部３１を備え、且つ、操作窓１１より押し込み可能に突出する押圧操作部３２を備えた扁平函型をなす内ケースＢを、揺動が可能に嵌合し、操作窓１１の下縁より起立した板バネ２５を押圧操作部３２に嵌着固定し、板バネ２５の付勢力に抗する押圧操作部３２の押し込みにより内ケースＢを外ケースＡに対して揺動させた際に、取出部３１が挿通窓１０より外方へ突出する粒状物用ケースにおいて、
押圧操作部３２は、前面及び後面のいずれか一方を開放し、且つ、下面を開放した板バネの嵌合溝３８を備え、該嵌合溝３８に板バネ２５を嵌合した。
【０００８】
第２の手段として、以下の通り構成した。即ち、前記第１の手段に於いて、外ケースＡの外部頂壁１４を曲率半径の大きい上方に凸の円弧板状をなす正面視形状に湾曲形成するとともに、内ケースＢの内部頂壁３４を外部頂壁１４を摺動する曲率半径の大きい上方に凸の円弧板状をなす正面視形状に湾曲形成し、外ケースＡの外部底壁１７を下方に凸の円弧板状をなす正面視形状に湾曲形成するとともに、内ケースＢの内部底壁３７を外ケースＡの外部底壁１７を摺動する下方に凸の円弧板状をなす正面視形状に湾曲形成し、外ケースＡに対する内ケースＢの相対的な揺動が可能に構成した。
【０００９】
第３の手段として、以下の通り構成した。即ち、前記第１の手段又は第２の手段に於いて、内ケースＢの内部後壁３３の後面下部と外ケースＡの外部後壁１３の前面下部とに枢着部を設けて、内ケースＢと外ケースＡとの相対的な揺動を可能とした。
【００１１】
第４の手段として、以下の通り構成した。即ち、前記第１の手段乃至第３の手段のいずれかの手段に於いて、外ケースＡを、ヒンジ１９を介して開閉可能に連結した外部前壁１２又は外部後壁１３の開放状態でその他の部分と一体に成形し、外部前壁１２又は外部後壁１３を閉じた状態でその周縁部を嵌着固定可能に構成した。
【発明の効果】
【００１２】
本発明によれば、一側上部に挿通窓１０を、他側上部に操作窓１１を備えた扁平函型の外ケースＡ内に、前面を開放した粒状物の収容部３０及び収容部３０に連続する前面を開放した取出部３１を備え、且つ、操作窓１１より押し込み可能に突出する押圧操作部３２を備えた扁平函型をなす内ケースＢを、揺動が可能に嵌合し、操作窓１１の下縁より起立した板バネ２５を押圧操作部３２に嵌着固定し、板バネ２５の付勢力に抗する押圧操作部３２の押し込みにより内ケースＢを外ケースＡに対して揺動させた際に、取出部３１が挿通窓１０より外方へ突出するので、その構造は極めて簡単であり、また、取出部３１の開閉操作も内ケースＢの外ケースＡに対する押し込み揺動で行えるため、片手での簡単な開閉が可能であり、いままでにない新しい取り扱い感覚での開閉が可能であるという特徴がある。
また押圧操作部３２は、前面及び後面のいずれか一方を開放し、且つ、下面を開放した板バネの嵌合溝３８を備え、該嵌合溝３８に板バネ２５を嵌合したので、板バネ２５の嵌合溝３８への装着が極めて容易に行え、牽いては内ケースＢの外ケースＡ内へ装着が極めて容易に行える利点がある。
【００１３】
外ケースＡの外部頂壁１４を曲率半径の大きい上方に凸の円弧板状をなす正面視形状に湾曲形成するとともに、内ケースＢの内部頂壁３４を外部頂壁１４を摺動する曲率半径の大きい上方に凸の円弧板状をなす正面視形状に湾曲形成し、外ケースＡの外部底壁１７を下方に凸の円弧板状をなす正面視形状に湾曲形成するとともに、内ケースＢの内部底壁３７を外ケースＡの外部底壁１７を摺動する下方に凸の円弧板状をなす正面視形状に湾曲形成し、外ケースＡに対する内ケースＢの相対的な揺動が可能に構成した場合には、内ケースＢも外ケースＡも壁部を均一な薄い厚みで形成できて収容部３０を極力大きく形成でき、収納効率が良いという利点がある。
【００１４】
内ケースＢの内部後壁３３の後面下部と外ケースＡの外部後壁１３の前面下部とに枢着部を設けて、内ケースＢと外ケースＡとの相対的な揺動を可能とした場合には、枢着部がない場合、例えば、外ケースＡの底壁上面と内ケースＢの底壁下面とをそれぞれ円弧状に形成して相対的な揺動を可能とした場合と比較して外ケースＡと内ケースＢとの相互の揺動がより安定的に行える利点があり、また、枢着部を大径の枢着凹部２３及び大径の枢着凸部４１を採用して大きく形成でき、内ケースＢ及び外ケースＡの後壁部分に於ける一箇所の枢着であっても安定した揺動が可能となる。
【００１６】
外ケースＡを、ヒンジ１９を介して開閉可能に連結した外部前壁１２又は外部後壁１３の開放状態でその他の部分と一体に形成し、外部前壁１２又は外部後壁１３を閉じた状態でその周縁部を嵌着固定して形成してなる場合には、外ケースＡの製造が容易に行える利点があり、また、外ケースＡ内への内ケースＢの装着を極めて容易に行え、組み付け操作の簡便化を図れる利点がある。
【図面の簡単な説明】
【００１７】
【図１】粒状物用ケースの縦断面図である。（実施例１）
【図２】粒状物用ケースの外ケースの縦断面図である。（実施例１）
【図３】粒状物用ケースの内ケースの縦断面図である。（実施例１）
【図４】粒状物用ケースの開放状態の縦断面図である。（実施例１）
【図５】粒状物用ケースの斜視図である。（実施例１）
【図６】粒状物用ケースの開放状態の斜視図である。（実施例１）
【図７】粒状物用ケースの背面からみた斜視図である。（実施例１）
【図８】粒状物用ケースの開放状態の背面からみた斜視図である。（実施例１）
【図９】粒状物用ケースの外ケースの係合部分の要部縦断面図てある。（実施例１）
【図１０】粒状物用ケースの枢着部分の要部縦断面図てある。（実施例１）
【発明を実施するための形態】
【００１８】
以下、本発明の形態を図面を参照して説明する。
【００１９】
図１乃至図１０は粒状物用ケース１の一例を示し、粒状物用ケース１は、外ケースＡと、内ケースＢとを備えている。尚、図１における縦断面図は正面から見た状態のものであり、図１に於いて外ケースＡ及び内ケースＢともに、手前が前部で後方が後部であり、左側が左側部で右側が右側部であると定義しており、それに伴って名称を付設している。
【００２０】
外ケースＡは合成樹脂製で、一側上部に挿通窓１０を、他側上部に操作窓１１を備えた扁平函型をなしており、外部前壁１２と外部後壁１３との間を外部頂壁１４、外部左側壁１５、外部右側壁１６及び外部底壁１７でそれぞれ連結している。
【００２１】
外部前壁１２及び外部後壁１３は、底縁が下方に凸の円弧状で、上縁が曲率半径の大きい上方に凸の円弧状で、左側縁は直線状で、右側縁下部は直線状で、右側縁上部は切欠部１８を設けて、下端部が緩傾斜をなす傾斜状としている。切欠部１８は、外部前壁１２に於いて前部切欠部１８ａ、外部後壁１３に於いて後部切欠部１８ｂとしている。外部頂壁１４は、外部前壁１２及び外部後壁１３の上縁左端より切欠部１８の直前までに至る曲率半径の大きい、上方に凸の円弧板状をなす正面視形状をなしている。外部左側壁１５は、外部前壁１２及び外部後壁１３の左縁上部より下部に至る垂直板状をなし、上端縁と外部頂壁１４端部との間に挿通窓１０を開口している。外部底壁１７は、外部前壁１２及び外部後壁１３の下縁に沿った、下方に凸の円弧板状をなす正面視形状をなし、左端部を外部左側壁１５と連続している。外部右側壁１６は、外部前壁１２及び外部後壁１３の右縁の下端部より切欠部１８の緩傾斜部分にまで至る、上端部が内方へ傾斜した垂直板状をなし、下端は外部底壁１７の右端部と連続している。
【００２２】
本例では、ヒンジ１９を介して開閉可能に連結した外部前壁１２の開放状態で、外部前壁１２とその他の部分とを一体に成形しており、外部前壁１２を閉じた状態でその周縁部を、対応する外部頂壁１４、外部左側壁１５、外部底壁１７に係合固定している。外部頂壁１４、外部左側壁１５、外部底壁１７に於ける外部前壁１２との対応位置には、図９に示す如き、係合凹条２０を凹設し、外部前壁１２に設けた係合突条２１を係合凹条２０に嵌合させている。各係合突条２１は垂壁２２を介して突設しており、外部前壁１２と、外部頂壁１４、外部左側壁１５、外部底壁１７との表面が面一となる如く構成している。また、外部後壁１３の下部所定位置には、枢着部を構成する枢着凹部２３を凹設している。尚、本例では、外部前壁１２をヒンジ１９を介して設けた例を示したが、外部後壁１３を同様に形成することも当然可能である。更に、これに限らず、外部前壁１２又は外部後壁１３或いは両方を別体に形成して後に嵌着固定することも当然可能である。また、本例では枢着凹部２３を、凹み形態のものを採用しているが、貫通孔形態の枢着凹部２３であっても良い。
【００２３】
操作窓１１は、外部頂壁１４の右側縁、外部右側壁１６の上端縁、前部切欠部１８ａ外縁及び後部切欠部１８ｂの外縁により画成されている。操作窓１１の下端縁である外部右側壁１６の上端縁前後方向中央部より垂直板状の板バネ２５を一体に立設している。従って、本例に於ける板バネ２５は、操作窓１１の外方に起立している。
【００２４】
内ケースＢも合成樹脂製で、前面を開放した粒状物の収容部３０及び収容部３０に連続する前面を開放した取出部３１を備えるとともに、操作窓１１より押し込み可能に突出する押圧操作部３２を備えた扁平函型をなしている。
【００２５】
本例では図３に示す如く、内部後壁３３と、内部後壁３３の上縁より前方へ延設した内部頂壁３４と、内部頂壁３４にそれぞれ連続するとともに、内部後壁３３の左右側縁部よりそれぞれ前方へ延設した内部左側壁３５及び内部右側壁３６と、内部左側壁３５及び内部右側壁３６とそれぞれ連続するとともに、内部後壁３３下縁より前方へ延設した、下方に凸の円弧状をなす正面視形状の内部底壁３７とを備えている。
【００２６】
内部底壁３７は、底縁が下方に凸の円弧状で、上縁が曲率半径の大きい上方に凸の円弧状で、左側縁は、上端から所定位置まで垂直縁部を有し、垂直縁部下端より右側方に延びる横向き縁部を連続し、横向き縁部の端部より斜め下方に下る傾斜縁部を連設した形態をなし、右側縁下部は、垂直状で、右側縁上部は、下端部が緩傾斜をなす傾斜状に形成されている。内部頂壁３４は外部頂壁１４と同様に曲率半径の大きい上方に凸の円弧板状をなす正面視形状をなし、外部頂壁１４下面に摺動可能に嵌合している。内部左側壁３５は、内部底壁３７の左側縁に沿って形成されたもので、上端の垂直部３５ａの下端より内方へ横部３５ｂを延設し、横部３５ｂの右端より下方へ広がる傾斜部３５ｃを連設して構成している。内部底壁３７は、内部後壁３３の下縁に沿った、下方に凸の円弧板状をなす正面視形状をなし、左端部を外部左側壁１５と連続している。外部右側壁１６は、内部後壁３３の右側縁に沿って形成され、下部の垂直壁部３６ａと、上部の、下部が緩傾斜をなす傾斜壁部３６ｂとで構成している。
【００２７】
押圧操作部３２は、操作窓１１より押し込み可能に突出したもので、内部右側壁３６の傾斜壁部３６ｂの外側に一体に突設した柱状をなし、その下端は、図３に示す如く、緩傾斜部分の上端レベルに位置させている。また、押圧操作部３２には板バネ２５を嵌着するための嵌合溝３８を設けている。本例に於ける嵌合溝３８は下面及び後面を開放した縦溝形態をなしている。また、押圧操作部３２の上面には、押圧操作部３２の押し込みを規制する、係止段部３９を形成しており、押し込んだ際に操作窓１１の上端縁に係止されて所定幅の押し込みが可能に構成している。また、押圧操作部３２の外側には滑り止め用の凹凸４０を設けている。更に、内部後壁３３の下部所定位置には、枢着部を構成する枢着凸部４１を突設している。
【００２８】
そして、例えば、外部前壁１２を開いた状態の外ケースＡ内に、上方から内ケースＢを収納し、枢着凹部２３に枢着凸部４１を嵌着するとともに、板バネ２５を嵌合溝３８に嵌着し、次いで、外部前壁１２を閉じて、その係合突条２１を係合凹条２０に嵌合して図１の状態とし、外ケースＡ内に、内ケースＢを、相対的な揺動が可能に嵌合する。この際、本例では摺動可能な嵌合はしていないが、外部頂壁１４下面に内部頂壁３４上面を摺動可能に嵌合させるとともに、外部底壁１７に内部底壁３７を摺動可能に嵌合させることも当然可能である。
【００２９】
そして、この状態から押圧操作部３２を、板バネ２５の付勢力に抗して押し込むと、外ケースＡに対して内ケースＢが枢着部を中心に揺動し、図４、図６或いは図８に示す如く、取出部３１のみが開口する如く構成している。
【００３０】
尚、上記例では、外ケースＡの外部後壁１３と内ケースＢと内部後壁３３との間に枢着部を設けた例を示したが、本発明では、図１の例に於いて枢着部を設けることがないものも包含される。その場合、外ケースＡの外部頂壁１４を曲率半径の大きい上方に凸の円弧板状をなす正面視形状に湾曲形成するとともに、内ケースＢの内部頂壁３４を外部頂壁１４を摺動する曲率半径の大きい上方に凸の円弧板状をなす正面視形状に湾曲形成し、外ケースＡの外部底壁１７を下方に凸の円弧板状をなす正面視形状に湾曲形成するとともに、内ケースＢの内部底壁３７を外ケースＡの外部底壁１７を摺動する下方に凸の円弧板状をなす正面視形状に湾曲形成し、外ケースＡに対する内ケースＢの相対的な揺動が可能に構成するとの条件を必要とする。
【符号の説明】
【００３１】
１：粒状物用ケース
Ａ：外ケース
１０…挿通窓、１１…操作窓、１２…外部前壁、１３…外部後壁、１４…外部頂壁、
１５…外部左側壁、１６…外部右側壁、１７…外部底壁、１８…切欠部、
１８ａ…前部切欠部、１８ｂ…後部切欠部、１９…ヒンジ、２０…係合凹条、
２１…係合突条、２２…垂壁、２３…枢着凹部、２５…板バネ
Ｂ：内ケース
３０…収容部、３１…取出部、３２…押圧操作部、３３…内部後壁、３４…内部頂壁、
３５…内部左側壁、３５ａ…垂直部、３５ｂ…横部、３５ｃ…傾斜部、
３６…内部右側壁、３６ａ…垂直壁部、３６ｂ…傾斜壁部、３７…内部底壁、
３８…嵌合溝、３９…係止段部、４０…滑り止め用の凹凸、４１…枢着凸部
【図１】
0005683009.tif 000002
【図２】
0005683009.tif 000003
【図３】
0005683009.tif 000004
【図４】
0005683009.tif 000005
【図５】
0005683009.tif 000006
【図６】
0005683009.tif 000007
【図７】
0005683009.tif 000008
【図８】
0005683009.tif 000009
【図９】
0005683009.tif 000010
【図１０】
0005683009.tif 000011